(57)【要約】      （修正有）【課題】容易かつ安価に製造することができる津波試験装置を提供する。【解決手段】貯水用水槽１２が、細長い流水用水槽１１の一方の端部に接続されている。流水用水槽１１と貯水用水槽１２とを連通するよう、各水槽の境界に開口部１４が設けられている。堰き止め用板１３が、開口部１４の開口面積を調節可能に、開口部１４を塞ぐ位置と開放する位置との間で上下方向にスライド可能に設けられている。開口部１４の側縁に、堰き止め用板１３のスライド高さに応じた目盛りが設けられている。目盛りは、貯水用水槽１２に水を貯め、堰き止め用板１３を開口部１４を塞ぐ位置から対応するスライド高さまでスライドしたときの、開口部１４から流水用水槽１１に流入する水の流速を表している。【選択図】図１
0003195823.tif 000002
【実用新案登録請求の範囲】
【請求項１】
細長い流水用水槽と、
前記流水用水槽の一方の端部に接続された貯水用水槽と、
前記流水用水槽と前記貯水用水槽とを連通するよう、各水槽の境界に設けられた開口部と、
前記開口部の開口面積を調節可能に、前記開口部を塞ぐ位置と開放する位置との間で上下方向にスライド可能に設けられた堰き止め用板とを有し、
前記開口部の側縁に、前記堰き止め用板のスライド高さに応じた目盛りが設けられていることを
特徴とする津波試験装置。
【請求項２】
前記目盛りは、前記貯水用水槽に水を貯め、前記堰き止め用板を前記開口部を塞ぐ位置から対応するスライド高さまでスライドしたときの、前記開口部から前記流水用水槽に流入する前記水の流速および／または水深を表していることを特徴とする請求項１記載の津波試験装置。
【請求項３】
前記堰き止め用板のスライド範囲を、所定のスライド高さまでに制限するストッパを有することを特徴とする請求項１または２記載の津波試験装置。
【請求項４】
前記ストッパは、前記目盛りに対応させて移動可能に設けられていることを特徴とする請求項３記載の津波試験装置。
【考案の詳細な説明】
【技術分野】
【０００１】
本考案は、津波試験装置に関する。
【背景技術】
【０００２】
従来、津波に対する建物の強度や安定性を検討する際には、水平に設置された鋼製のフロートを上下動させて津波を発生させる津波発生装置や、プロペラを有するポンプを利用して津波を発生させる津波発生装置（例えば、特許文献１参照）などが用いられている。
【０００３】
なお、本発明者により、厚紙などを使用して容易に作製することができる建物模型が提案されている（例えば、特許文献２参照）。
【先行技術文献】
【特許文献】
【０００４】
【特許文献１】特開２００２−３３２６２１号公報
【特許文献２】実用新案登録第３１４８５５５号公報
【考案の概要】
【考案が解決しようとする課題】
【０００５】
従来のフロートやプロペラなどを利用した津波発生装置では、フロートやプロペラを駆動する装置が必要となるため、装置全体が大掛かりになるとともに、製造費用も嵩むという課題があった。
【０００６】
本考案は、このような課題に着目してなされたもので、容易かつ安価に製造することができる津波試験装置を提供することを目的とする。
【課題を解決するための手段】
【０００７】
上記目的を達成するために、本考案に係る津波試験装置は、細長い流水用水槽と、前記流水用水槽の一方の端部に接続された貯水用水槽と、前記流水用水槽と前記貯水用水槽とを連通するよう、各水槽の境界に設けられた開口部と、前記開口部の開口面積を調節可能に、前記開口部を塞ぐ位置と開放する位置との間で上下方向にスライド可能に設けられた堰き止め用板とを有し、前記開口部の側縁に、前記堰き止め用板のスライド高さに応じた目盛りが設けられていることを特徴とする。
【０００８】
本考案に係る津波試験装置は、水槽内で津波を発生させるために、以下のようにして使用される。すなわち、まず、堰き止め用板で開口部を塞いだ状態で、貯水用水槽の内部に水を貯める。次に、貯水用水槽の水が開口部から流水用水槽に流入するよう、開口面積を調整しながら堰き止め用板をスライドさせる。これにより、流水用水槽の内部に津波を発生させることができる。また、開口面積を調整することにより、発生する津波の速さや高さを調整することができる。
【０００９】
本考案に係る津波試験装置は、貯水用水槽に貯める水の量（高さ）を常に一定にしておき、開口部の側縁に設けられた目盛りに合わせて堰き止め用板をスライドさせることにより、同じ流速および高さを有する津波を繰り返し発生させることができる。このため、津波に対する建物の強度や安定性を評価する試験を、繰り返し安定して行うことができる。
【００１０】
本考案に係る津波試験装置は、堰き止め用板を手動でスライドさせるだけで津波を容易に発生させることができ、駆動装置などの機械を使用しないため、容易かつ安価に製造することができる。本考案に係る津波試験装置で、目盛りは一つでもよいが、複数種類の津波の発生に合わせて、複数設けられていることが好ましい。また、貯水用水槽に貯める水の量を一定にするために、貯水用水槽に水位を示す目盛りが設けられていることが好ましい。その水位目盛りも一つでもよいが、複数種類の津波の発生に合わせて、複数設けられていてもよい。
【００１１】
本考案に係る津波試験装置で、前記目盛りは、前記貯水用水槽に水を貯め、前記堰き止め用板を前記開口部を塞ぐ位置から対応するスライド高さまでスライドしたときの、前記開口部から前記流水用水槽に流入する前記水の流速および／または水深を表していることが好ましい。この場合、堰き止め用板を目盛りに合わせてスライドさせるだけで、所望の流速および高さの津波を発生させることができる。
【００１２】
本考案に係る津波試験装置は、前記堰き止め用板のスライド範囲を、所定のスライド高さまでに制限するストッパを有していてもよい。特に、前記ストッパは、前記目盛りに対応させて移動可能に設けられていてもよい。この場合、ストッパにより、堰き止め用板を所望の目盛りまでスライドさせて止めることができる。これにより、所望の流速および高さの津波を、正確に発生させることができる。また、同じ流速および高さの津波を繰り返し正確に発生させることができ、津波に対する建物の評価試験等の精度を高めることができる。
【考案の効果】
【００１３】
本考案によれば、容易かつ安価に製造することができる津波試験装置を提供することができる。
【図面の簡単な説明】
【００１４】
【図１】本考案の実施の形態の津波試験装置を示す斜視図である。
【図２】図１に示す津波試験装置の使用状態を示す縦断面図である。
【図３】図１に示す津波試験装置の開口部の拡大正面図である。
【考案を実施するための形態】
【００１５】
以下、図面に基づき本考案の実施の形態について説明する。
図１乃至図３は、本考案の実施の形態の津波試験装置を示している。
図１および図２に示すように、津波試験装置１０は、流水用水槽１１と貯水用水槽１２と堰き止め用板１３とを有している。
【００１６】
流水用水槽１１は、左右に細長く形成されており、一方の端面および上面が開放されている。すなわち、流水用水槽１１は、細長い矩形状の底板１１ａと、底板１１ａの両側縁に沿って設けられた１対の側板１１ｂと、底板１１ａの他方の端部に設けられた側板１１ｃとから成っている。
【００１７】
貯水用水槽１２は、縦長の直方体形状を成し、流水用水槽１１の一方の端部に接続されている。貯水用水槽１２は、流水用水槽１１と同じ幅を有し、上面が開放されている。貯水用水槽１２は、底面および幅方向に沿った両側面の位置を流水用水槽１１に揃えて接続されており、上端が流水用水槽１１より高くなっている。貯水用水槽１２は、流水用水槽１１との境界の側面１２ａに、流水用水槽１１と連通するよう設けられた開口部１４を有している。開口部１４は、矩形状を成し、貯水用水槽１２の内部の底面から流水用水槽１１の上端よりやや低い位置までの高さで、貯水用水槽１２の幅方向の中心に、貯水用水槽１２の内部の幅よりやや小さい幅で形成されている。
【００１８】
堰き止め用板１３は、矩形状を成し、貯水用水槽１２の内部の幅より小さく開口部１４の幅より大きい幅と、貯水用水槽１２の高さより大きい長さとを有している。堰き止め用板１３は、上部から貯水用水槽１２の内部に挿入され、流水用水槽１１との境界の側面１２ａに沿って、上下方向にスライド可能に設けられている。これにより、堰き止め用板１３は、開口部１４の開口面積を調節可能に、開口部１４を塞ぐ位置と開放する位置との間でスライド可能になっている。堰き止め用板１３は、貯水用水槽１２の上端から突出した端部を持って、スライドさせるようになっている。
【００１９】
図３に示すように、津波試験装置１０は、貯水用水槽１２の流水用水槽１１との境界の側面１２ａの、開口部１４の高さ方向に沿った両側縁に、高さ方向に所定の間隔で複数の目盛り１５が設けられている。各目盛り１５は、堰き止め用板１３の下縁の高さ（スライド高さ）に対応するよう設けられている。各目盛り１５には、貯水用水槽１２に所定の高さまで水を貯め、堰き止め用板１３を開口部１４を塞ぐ位置から対応する高さまでスライドしたときの、開口部１４から流水用水槽１１に流入する水の流速が記載されている。
【００２０】
次に、作用について説明する。
津波試験装置１０は、流水用水槽１１の内部で津波１を発生させるために、以下のようにして使用される。すなわち、まず、図２に示すように、堰き止め用板１３で開口部１４を塞いだ状態で、貯水用水槽１２の内部に水１ａを貯める。このとき、貯水用水槽１２に貯める水１ａの量（高さ）は、常に一定にしておく。次に、貯水用水槽１２の水１ａが開口部１４から流水用水槽１１に流入するよう、開口面積を調整しながら堰き止め用板１３をスライドさせる。このとき、所望の流速の津波１を発生させるよう、堰き止め用板１３をその流速に対応する目盛り１５に合わせてスライドさせる。これにより、流水用水槽１１の内部に、所望の流速の津波１を発生させることができる。
【００２１】
津波試験装置１０は、開口部１４の側縁に設けられた目盛り１５に合わせて堰き止め用板１３をスライドさせることにより、同じ流速および高さを有する津波１を繰り返し発生させることができる。このため、津波１に対する建物の強度や安定性を評価する試験を、繰り返し安定して行うことができる。
【００２２】
津波試験装置１０は、堰き止め用板１３を手動でスライドさせるだけで津波１を容易に発生させることができ、駆動装置などの機械を使用しないため、容易かつ安価に製造することができる。津波試験装置１０は、複数の目盛り１５に対応して、複数種類の津波１を発生させることができる。津波試験装置１０は、貯水用水槽１２に貯める水１ａの量を一定にするために、貯水用水槽１２に水位を示す目盛り１５が設けられていてもよい。目盛り１５には、発生させる津波１の流速だけでなく、津波１の高さも記載されていてもよい。
【００２３】
津波試験装置１０は、堰き止め用板１３をスライドさせるだけで、だれでも容易に津波１を発生させることができる。また、大きい機械を使用しないため、運搬が容易であり、どこでも津波に関する試験を行うことができる。このため、各種イベントなどで津波に対する啓発を行ったり、津波と建築物との関係など、津波に関する学習を行う学校や企業、団体などで使用したりすることができる。津波と建築物との関係を評価するためには、例えば、図２に示すように、特許文献２に記載のような厚紙製の建築模型２を製作し、その建築模型２を鉄板３の上に固定して流水用水槽１１の内部に置き、津波１を発生させる。様々な構造の建築模型２を準備し、津波１で倒れるかどうかを観察することにより、津波１に強い建築構造を評価することができる。
【００２４】
なお、図１乃至図３に示す具体的な一例では、流水用水槽１１の長さは４ｍ、高さは３０ｃｍである。開口部１４の高さは、１５〜３０ｃｍである。また、津波試験装置１０は、開口部１４から流水用水槽１１に流入した津波１の流速を、１〜８ｍ／ｓの範囲で、高さ（水深）を１〜３０ｃｍの範囲で調整可能になっている。但し、本考案は、それらの数値に限定されるものではなく、種々の大きさで製作可能である。
【００２５】
津波試験装置１０は、堰き止め用板１３のスライド範囲を、所定のスライド高さまでに制限するストッパを有していてもよい。また、ストッパは、目盛り１５に対応させて移動可能に設けられていてもよい。この場合、ストッパにより、堰き止め用板１３を所望の目盛り１５までスライドさせて止めることができる。これにより、所望の流速および高さの津波を、正確に発生させることができる。また、同じ流速および高さの津波を繰り返し正確に発生させることができ、津波に対する建物の評価試験等の精度を高めることができる。
【符号の説明】
【００２６】
１  津波
２  建築模型
３  鉄板
１０  津波試験装置
１１  流水用水槽
１１ａ  底板
１１ｂ，１１ｃ  側板
１２  貯水用水槽
１２ａ  側面
１３  堰き止め用板
１４  開口部
１５  目盛り
【図１】
0003195823.tif 000003
【図２】
0003195823.tif 000004
【図３】
0003195823.tif 000005